【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】    【請求項１】前方向と後ろ方向とを有する椅子の肘掛け組立体であって、  肘掛けと、  支持構造と、  肘掛けを支持構造に移動自在に取付ける取付け装置とより成り、  取付け装置は、肘掛けが実質的に平坦な態様で移動するように、支持構造に対する肘掛けの運動を、実質的に水平な面内にある第１及び第２の横断方向の軸により画定される２つの自由度を有する実質的に水平な面内の運動に制限し、肘掛けは実質的に水平な面内では回転できないように制限される肘掛け組立体。    【請求項２】肘掛け組立体は、第１の軸が椅子の前方向に実質的に対応し、第２の軸が椅子の横方向に対応するように椅子に組み込まれる請求項１の肘掛け組立体。    【請求項３】肘掛けの運動を案内する第１の及び第２の案内手段をさらに備えた請求項１または２の肘掛け組立体。    【請求項４】取付け装置はキャリアを有し、第１の案内手段は肘掛けのキャリアに対する運動を案内するようにキャリアに組み込まれており、案内される第１の対応部分は肘掛け上にあり、第２の案内手段は支持構造に対して固定関係に設けられており、案内される第２の対応部分はキャリアに組み込まれている請求項３の肘掛け組立体。    【請求項５】第１の案内手段は離隔した平行な軌道より成り、案内される第１の部分は肘掛け上に設けたスロットまたはチャンネルより成る請求項３または請求項４の肘掛け組立体。    【請求項６】第２の案内手段は、支持構造に対して固定関係にある１対の離隔した平行な対向端縁部より成り、キャリアは対向端縁部と摺動係合するような形状を有する請求項４の肘掛け組立体。    【請求項７】第１の軸と第２の軸に沿う運動の限界を画定するための停止手段が設けられ、第１の軸に沿う運動の範囲は、第２の軸に沿う運動の範囲よりも大きい請求項１乃至６のうち任意の１項の肘掛け組立体。    【請求項８】肘掛けは、平面内の複数の可能な位置のうちの任意の１つに選択的に配置可能である請求項１乃至７のうち任意の１項の肘掛け組立体。    【請求項９】取付け装置は、有限数の可能な位置が存在するように取付ける請求項８の肘掛け組立体。    【請求項１０】肘掛けを可能な位置のうちの任意の１つに着脱自在にロックするロック装置をさらに備えた請求項８の肘掛け組立体。    【請求項１１】ロック装置は、支持構造の少なくとも上部に関して固定した姿勢で取付けられた固定部分を有し、この固定部分は複数の第１の係合部分を有し、第１の係合部分のうちの少なくとも一部と選択的に着脱自在に係合するために、肘掛けは第２の係合部分を支持し、あるいは、肘掛けは複数の第１の係合部分を有し、第２の係合部分は、第１の係合部分の少なくとも一部と選択的に着脱自在に係合するために支持構造に関して固定され、何れの場合も、第１の係合部分の一部は、第２の係合部分が係合すると各々が肘掛けの可能な位置を画定するように構成されている請求項１０の肘掛け組立体。    【請求項１２】第２の係合部分は、別個の係合部材または係合突出部より成り、第１の係合部分は、その係合部材または係合突出部と係合受容するために、それに応じた形状の凹部またはスロットより成る請求項１１の肘掛け組立体。    【請求項１３】別個の係合部材は、常態では、第１の係合部分のうちの１つと係合する位置に偏倚されている請求項１２の肘掛け組立体。    【請求項１４】第２の係合部材は、ボールの形状を有する請求項１１乃至１３のうちの任意の１つの肘掛け組立体。    【請求項１５】固定部分は係合表面を有するパッドより成り、係合表面の上には離隔したディンプルのアレイが形成されている請求項１１乃至１４のうちの任意の１つの肘掛け組立体。    【請求項１６】縦方向軸及び横方向軸のそれぞれに沿う運動を案内する第１及び第２の案内手段をさらに有し、取付け装置はさらにキャリアを有し、第１の案内手段は、案内される第１の対応部分が肘掛け上にあるように、キャリア上に設けられて、キャリアに対する肘掛けの運動を案内し、第２の案内手段は、案内される第２の対応部分がキャリアに組み込まれるように固定部分に組み込まれ、固定部分は、キャリアの前方及び後方に延び、複数の第１の係合部分は、固定部分上に設けられている請求項１１乃至１５のうちの任意の１つの肘掛け組立体。    【請求項１７】キャリア上には、さらに第１の係合部分が設けられている請求項１６の肘掛け組立体。    【請求項１８】２つの第２の係合部分が設けられ、キャリア上の対応する第１の係合部分は、第２の係合部分が共に同時にキャリアと係合できないような構成である請求項１７の肘掛け組立体。    【請求項１９】ロック装置は、肘掛けを可能な位置の各々に常態でロックするように作動可能であり、ロック装置は選択的に解放可能である請求項１０乃至１８のうちの任意の１つの肘掛け組立体。    【請求項２０】ロック装置はさらに、第２の係合部分を第１の係合部分との係合から選択的に分離する分離手段を有する請求項１１乃至１９のうちの任意の１つの肘掛け組立体。    【請求項２１】分離手段は、第１及び第２の係合部分が係合する係合位置と、第１及び第２の係合部分を係合関係から離脱させる離脱位置とを有する移動自在な摺動手段より成る請求項２０の肘掛け組立体。    【請求項２２】第２の係合部分は、１またはそれ以上の別個の係合部材より成り、移動自在の摺動手段は、浅い部分及び深い部分を有する深さが暫時変化する、または可変の１またはそれ以上の凹部を有し、摺動手段の係合位置は、別個の係合部材が浅い部分に受容される位置に対応し、摺動手段の離脱位置は、別個の係合部材がそれぞれの凹部の深い部分に受容される位置に対応する請求項２１の肘掛け組立体。    【請求項２３】ロック装置はアクチュエータを有し、このアクチュエータは、肘掛けにその腕が支持されるユーザーの手により作動されるように配置されている請求項１０乃至２２のうちの任意の１つの肘掛け組立体。    【請求項２４】前方向と横方向とを有する椅子の肘掛け組立体であって、肘掛け組立体は、縦方向軸が椅子の前方向に実質的に対応するように椅子に組み込むようになっており、肘掛け組立体はさらに、横方向軸が椅子の横方向に対応するように椅子に組み込むようになっており、  肘掛け組立体はさらに、  肘掛けと、  椅子に固着自在の支持構造とより成り、  肘掛けは支持構造に取付け装置により取付けられ、肘掛けは、支持構造に対して、前後方向に選択的に移動可能で、縦方向軸に沿う複数の座標位置のうちの任意の１つを占めることができ、また横��向に選択的に移動可能で、横方向軸に沿う複数の座標位置のうちの任意のうちの１つを占めることができ、肘掛けは、縦方向軸及び横方向軸に沿うそれぞれの座標位置により画定される複数の別個の可能な位置のうちの任意の１つに選択的に位置付け可能であり、取付け装置は、肘掛けを可能な位置のうちの任意の１つに着脱自在にロックするロック装置を備えている肘掛け組立体。    【請求項２５】肘掛けは格子パターンで移動自在である請求項２４の肘掛け組立体。    【請求項２６】縦方向軸及び横方向軸のそれぞれに沿う運動を案内する第１及び第２の案内手段をさらに有する請求項２４または２５の肘掛け組立体。    【請求項２７】取付け装置はキャリアを有し、第１の案内手段は肘掛けのキャリアに対する運動を案内するようにキャリアに組み込まれており、案内される第１の対応部分は肘掛け上にあり、第２の案内手段は支持構造に対して固定関係に設けられており、案内される第２の対応部分はキャリアに組み込まれている請求項２６の肘掛け組立体。    【請求項２８】第１の案内手段は離隔した平行な軌道より成り、案内される第１の部分は肘掛け上に設けたスロットまたはチャンネルより成る請求項２７の肘掛け組立体。    【請求項２９】第２の案内手段は、支持構造に対して固定関係にある１対の離隔した平行な対向端縁部より成り、キャリアは対向端縁部と摺動係合するような形状を有する請求項２７または２８の肘掛け組立体。    【請求項３０】縦方向軸と横方向軸に沿う運動の限界を画定するための停止手段が設けられ、縦方向軸に沿う運動の範囲は、横方向軸に沿う運動の範囲よりも大きい請求項２４乃至２９のうち任意の１項の肘掛け組立体。    【請求項３１】取付け装置は、有限数の可能な位置が存在するように取付ける請求項２４乃至３０のうち任意の１項の肘掛け組立体。    【請求項３２】ロック装置は、支持構造の少なくとも上部に関して固定した姿勢で取付けられた固定部分を有し、この固定部分は複数の第１の係合部分を有し、第１の係合部分のうちの少なくとも一部と選択的に着脱自在に係合するために、肘掛けは第２の係合部分を支持し、あるいは、肘掛けは複数の第１の係合部分を有し、第２の係合部分は、第１の係合部分の少なくとも一部と選択的に着脱自在に係合するために支持構造に関して固定され、何れの場合も、第１の係合部分の一部は、第２の係合部分が係合すると各々が肘掛けの可能な位置を画定するように構成されている請求項２４乃至３１のうち任意の１項の肘掛け組立体。    【請求項３３】第２の係合部分は、別個の係合部材または係合突出部より成り、第１の係合部分は、その係合部材または係合突出部と係合受容するために、それに応じた形状の凹部またはスロットより成る請求項３２の肘掛け組立体。    【請求項３４】別個の係合部材は、常態では、第１の係合部分のうちの１つと係合する位置に偏倚されている請求項３３の肘掛け組立体。    【請求項３５】第２の係合部材は、ボールの形状を有する請求項３２乃至３４のうちの任意の１つの肘掛け組立体。    【請求項３６】固定部分は係合表面を有するパッドより成り、係合表面の上には離隔したディンプルのアレイが形成されている請求項３２乃至３５の肘掛け組立体。    【請求項３７���縦方向軸及び横方向軸のそれぞれに沿う運動を案内する第１及び第２の案内手段をさらに有し、取付け装置はさらにキャリアを有し、第１の案内手段は、案内される第１の対応部分が肘掛け上にあるように、キャリア上に設けられて、キャリアに対する肘掛けの運動を案内し、第２の案内手段は、案内される第２の対応部分がキャリアに組み込まれるように固定部分に組み込まれ、固定部分は、キャリアの前方及び後方に延び、複数の第１の係合部分は、固定部分上に設けられている請求項３２乃至３６のうちの任意の１つの肘掛け組立体。    【請求項３８】キャリア上には、さらに第１の係合部分が設けられている請求項３７の肘掛け組立体。    【請求項３９】２つの第２の係合部分が設けられ、キャリア上の対応する第１の係合部分は、第２の係合部分が共に同時にキャリアと係合できないような構成である請求項３８の肘掛け組立体。    【請求項４０】ロック装置は、肘掛けを可能な位置の各々に常態でロックするように作動可能であり、ロック装置は選択的に解放可能である請求項２４乃至２９のうちの任意の１つの肘掛け組立体。    【請求項４１】ロック装置はさらに、第２の係合部分を第１の係合部分との係合から選択的に分離する分離手段を有する請求項３２乃至４０のうちの任意の１つの肘掛け組立体。    【請求項４２】分離手段は、第１及び第２の係合部分が係合する係合位置と、第１及び第２の係合部分を係合関係から離脱させる離脱位置とを有する移動自在な摺動手段より成る請求項４１の肘掛け組立体。    【請求項４３】第２の係合部分は、１またはそれ以上の別個の係合部材より成り、移動自在の摺動手段は、浅い部分及び深い部分を有する深さが暫時変化する、または可変の１またはそれ以上の凹部を有し、摺動手段の係合位置は、別個の係合部材が浅い部分に受容される位置に対応し、摺動手段の離脱位置は、別個の係合部材がそれぞれの凹部の深い部分に受容される位置に対応する請求項４２の肘掛け組立体。    【請求項４４】ロック装置はアクチュエータを有し、このアクチュエータは、肘掛けにその腕が支持されるユーザーの手により作動されるように配置されている請求項２４乃至４３のうちの任意の１つの肘掛け組立体。